(57)【要約】      （修正有）【課題】過去の逸話が整理されて記載、転記される回想ノートを提供する。【解決手段】思いだされた自分の人生における過去の逸話につき、社会の動き、学校仕事、初めての出来事、友人交友、家族家庭、日常生活環境、趣味遊び、人生分岐点、嬉しかったこと・悲しかったことのいずれに該当するかを分類して、当該分類を記載する欄と、前記分類を記載する欄に対応して、当該逸話が記載される欄を有する第一の記載手段と、前記分類を複数の欄に分けて記載した欄に対応して、前記第一の記載手段に記載された逸話を前記分類ごとにそれぞれ対応させて転記される複数の欄を有する第二の記載手段とを備える。【選択図】図４
0003215186.tif 000002
【実用新案登録請求の範囲】
【請求項１】
思いだされた自分の人生における過去の逸話が分類して記載されるように促される第一の記載手段と、
この第一の記載手段に記載された逸話を上記分類に対応させて整理して転記されるように促される第二の記載手段とを備えたことを特徴とする回想ノート。
【請求項２】
上記第一の記載手段には、社会の動き、学校仕事、初めての出来事、友人交友、家族家庭、日常生活環境、趣味遊び、人生分岐点、嬉しかったこと・悲しかったこと、その他のいずれに該当するかに分類されて上記逸話が記載され、この分類ごとに異なる逸話が記載されるように促され、
上記第二の記載手段には、同じ社会の動き、学校仕事、初めての出来事、友人交友、家族家庭、日常生活環境、趣味遊び、人生分岐点、嬉しかったこと・悲しかったこと、その他のそれぞれごとに上記逸話が転記され、しかもこの分類ごとに異なる逸話が転記されるように促すことを特徴とする請求項１記載の回想ノート。
【請求項３】
上記第二の記載手段には、上記分類ごとに異なる複数の逸話が、異なる複数の時期ごとに同逸話が転記されるように促すことを特徴とする請求項２記載の回想ノート。
【請求項４】
上記第一の記載手段には、上記１つの逸話が、時期、場所、誰、目的、方法・手段、結果、理由の各項目についてそれぞれ記載されるように促すことを特徴とする請求項３記載の回想ノート。
【請求項５】
上記複数の逸話から選ばれた逸話には、当時の思い、または学び・気づき・行動がそれぞれ付加されて、上記第二の記載手段に記載されるように促すことを特徴とする請求項４記載の回想ノート。
【考案の詳細な説明】
【技術分野】
【０００１】
本考案は、回想ノートに関し、特に人生の終末に備えて種々の事項を記録しておくノート、メモ、遺言状、書状、書籍、雑誌、印刷物などに関する。
【背景技術】
【０００２】
近年、自分の人生に関する事項を書き留めて記録しておく回想ノートが考えられてきている。このような回想ノートには、自分の思い出、自分史、自分の人生の概略、自分のエピソード、自分の人生の終活、子供、孫などの子孫へのメッセージなど、種々の事項が記載される。
【０００３】
【特許文献１】特開２００９−１１６５１９号公報
【特許文献２】特開２００２−０５６０８４号公報
【特許文献３】特開２００８−１７３８５４号公報
【特許文献４】特開２００１−３０１３６０号公報
【考案の開示】
【考案が解決しようとする課題】
【０００４】
本考案は、上述した課題を解決するためになされたものであり、本考案の回想ノートの目的は、このような回想ノートをきちんと整理できてまとまった有意義なものにしようというものである。
【課題を解決するための手段】
【０００５】
上記目的を達成するために、本考案の回想ノートは、思いだされた自分の人生における過去の逸話が分類して記載される第一の記載手段と、この第一の記載手段に記載された逸話を上記分類に対応させて整理して転記される第二の記載手段とを備えた。
【考案の効果】
【０００６】
これにより、いったん第一の記載手段に分類され記載されてから、第二の記載手段に整理して転記され、しかも上記分類に対応させて整理して転記されるので、きちんと整理されて回想ノートに転記できる。
【０００７】
また、上記目的を達成するために、本考案の回想ノートは、上記第一の記載手段には、社会の動き、学校仕事、初めての出来事、友人交友、家族家庭、日常生活環境、趣味遊び、人生分岐点、嬉しかったこと・悲しかったこと、その他のいずれに該当するかに分類されて上記逸話が記載され、この分類ごとに異なる逸話が記載されるように促され、  上記第二の記載手段には、同じ社会の動き、学校仕事、初めての出来事、友人交友、家族家庭、日常生活環境、趣味遊び、人生分岐点、嬉しかったこと・悲しかったこと、その他のそれぞれごとに上記逸話が転記され、しかもこの分類ごとに異なる逸話が転記されるように促すようにした。
【０００８】
これにより、さらに、具体的な分類ごとに、逸話が漏れなく整理されて記載され、抜けの無い回想ノートを作成することができる。
【図面の簡単な説明】
【０００９】
【図１】回想カード１（第一の記載手段）の一枚を示す。
【図２】回想カード１（第一の記載手段）の綴りの裏表紙などに記載された記入見本１５を示す。
【図３】回想カード１（第一の記載手段）の綴りの表紙を示す。
【図４】回想ノート２１（第二の記載手段）（０才〜７才）を示す。
【図５】回想ノート２１（第二の記載手段）（８才〜１５才）を示す。
【図６】回想ノート２１（第二の記載手段）（１６才〜１８才）を示す。
【図７】回想ノート２１（第二の記載手段）（１９才〜２２才）を示す。
【図８】回想ノート２１（第二の記載手段）（２３才〜３０才）を示す。
【図９】回想ノート２１（第二の記載手段）（８１才〜９０才）を示す。
【図１０】回想ノート２１（第二の記載手段）の「心に残る出来事エピソード３１」の一枚を示す。
【図１１】回想ノート２１（第二の記載手段）の「７  終末期での病気の告知、延命治療について」「８  自己判断が出来なくなった時、判断を託したい家族または人」を示す。
【図１２】回想ノート２１（第二の記載手段）の「９  私が、看護または介護される時」「１０  私の相続に関しての基本方針と伝えたい言葉」を示す。
【図１３】回想ノート２１（第二の記載手段）の「１１  介護遺言」を示す。
【図１４】回想ノート２１（第二の記載手段）の「１２  もしもの時、連絡してほしい人」を示す。
【図１５】回想ノート２１（第二の記載手段）の「１３  家系図」を示す。
【図１６】回想ノート２１（第二の記載手段）の「１３  家系図」を示す。
【図１７】回想ノート２１（第二の記載手段）の「１４  思い出デジタル動画・写真アルバム」「１５  自分史回想式思い出ノート活用法」を示す。
【図１８】回想ノート２１（第二の記載手段）の「２  私の基本情報」を示す。
【図１９】回想ノート２１（第二の記載手段）の「自分史作成用歴史上の私年表」を示す。
【図２０】回想ノート２１（第二の記載手段）の「自分史作成用歴史上の私年表」を示す。
【図２１】回想ノート２１（第二の記載手段）の「自分史作成用歴史上の私年表」を示す。
【図２２】回想ノート２１（第二の記載手段）の「自分史作成用歴史上の私年表」を示す。
【図２３】回想ノート２１（第二の記載手段）の裏表紙を示す。
【図２４】回想ノート２１（第二の記載手段）の表表紙を示す。
【符号の説明】
【００１０】
１…回想カード（第一の記載手段）
２…表題  ３…日付
４…分類コード  ６…時期項目
７…場所項目  ８…誰項目
９…目的項目  １０…方法・手段項目
１１…結果項目  １２…理由項目
１３…まとめ欄  １５…記入見本
１６…表紙  １７…注意事項欄
１８…氏名欄  
２１…回想ノート（第二の記載手段）
２２…時期項目  ２３…分類項目
３１…心に残る出来事エピソード
３２…出来事の内容  ３３…当時の思い
３４…学び・気づき・行動
【考案を実施するための最良の形態】
【００１１】
（１）回想カード１
図１は、回想カード１（第一の記載手段）の綴りの一枚を示す。回想カード１一枚は図１に示す通りで、これが多数重ねられて糊付けによって綴じられ、一枚ずつ容易に取り外すことができる。
【００１２】
この回想カード１のいちばん上には「助詞連想バーチャルインタビュー式回想カード」といった表題２が記載されている。この表題２の下には「記入日      年      月      日」の日付３（記入日）が記載されている。
【００１３】
この日付の下は枠で囲まれ、この枠の上縁には「Ａ社会の動き・Ｂ学校仕事・Ｃ初めての出来事・Ｄ友人交友・Ｅ家族家庭・Ｆ日常生活環境・Ｇ趣味遊び・Ｈ人生分岐点・Ｉ嬉し悲しかった・Ｊその他」の分類コード４が記載されている。
【００１４】
分類コード４は、以下の回想カード１に記載する、思いだされた自分の人生における過去の逸話につき、「Ａ社会の動き・Ｂ学校仕事・…・Ｊその他」のどの内容に該当するかを示し、これら１０分類の中で該当するものに１つ○印がつけられ逸話が分類されるように促される。
【００１５】
○印は例外的に複数つけてもよいが、原則は１つである。分類コード４は、これら１０個に限定されず、これより多くても少なくてもよく、上記１０項目以外の項目が追加、差し替えされてもよい。この○印のつけられた分類コード４によって、上記逸話が分類して記載されることになる。
【００１６】
上記分類コード４の下の時期項目６には、「その出来事は何時頃でしたか？  Ｗ１」と記載され、その右に「ＳＨ      年      月      （幼・小・中・高・専・大・社会人時代）      歳頃」（ｗｈｅｎ）と記載され、上記１つの逸話が、いつの時期についてかの項目について記載されるように促される。
【００１７】
この時期項目６の下の場所項目７には、「何処でしたか？  何処からでしたか？  何処へでしたか？  Ｗ２」（ｗｈｅｒｅ）と記載され、その右に、上記１つの逸話が、何処の場所についてかの項目について記載されるように促される。
【００１８】
この場所項目７の下の誰項目８には、「誰が・誰の・誰に・誰へ・誰を・誰より・誰と  Ｗ３」（ｗｈｏ  ｗｈｏｓｅ  ｗｈｏｍ）と記載され、その右に、上記１つの逸話が、誰についてかの項目について記載されるように促される。
【００１９】
この誰項目８の下の目的項目９には、「何をしたのですか？  何があったのですか？  どんな事をしたのですか？  Ｗ４」（ｗｈａｔ）と記載され、その右に、上記１つの逸話が、何についてかの目的（補語）の項目について記載されるように促される。
【００２０】
この目的項目９の下の方法・手段項目１０には、「どんな風にでしたか？  どうやってでしたか？  Ｗ５」（ｈｏｗ）と記載され、その右に、上記１つの逸話が、どうやってかの方法・手段の項目について記載されるように促される。
【００２１】
この方法・手段項目１０の下の結果項目１１には、「結果はどうしましたか？  結果はどうなりましたか？  Ｗ６」と記載され、その右に、上記１つの逸話の、結果がどうなったかの項目について記載されるように促される。
【００２２】
この結果項目１１の下の理由項目１２には、「なぜ、そうしましたか？  なぜ、そうなったのですか？  なんのために？  どうしてですか？  Ｗ７」（ｗｈｙ）と記載され、その右に、上記１つの逸話の、理由がなんであったかの項目について記載されるように促される。
【００２３】
このように、１つの逸話につき、時期、場所、誰、目的、方法・手段、結果、理由の各項目６〜１２についてそれぞれ記載されるように促されるため、逸話について記載するとき、部分的に抜けが生じにくく、正確に整理して逸話を記載することができる。また、このような記載によって、脳が活性化して老化・痴呆を防ぐことができる。
【００２４】
また、１つの逸話につき、上記各項目６〜１２にわたって、つまり助詞「が」「だけ」「こそ」「ば」「ぞ」「よ」「てにをは」につき連想するようにバーチャルインタビュー形式で回想していくので、部分的に抜けが生じにくく、正確に整理して逸話を記載することができるし、脳が活性化して老化・痴呆を防ぐことができる。
【００２５】
上記理由項目１２の下のまとめ欄１３には、「上記まとめ文」「思い出ノート転記用」「重要度ランク」「上・中・下」と記載され、その右に、上記各項目６〜１２ごとに記載された１つの逸話を効率よくまとめて、上・中・下の重要度ランクとともに、記載するように促される。
【００２６】
図２は、回想カード１（第一の記載手段）の綴りの裏表紙などに記載された、記入見本１５を示す。記入見本１５には、例えば「幼稚園のころ  幼稚園の玄関で  転んで  母親が作った弁当を  落としてこぼし  泣いて家へ帰った」ことを、分類コード４で分類し、各項目６〜１２に分けて記載し、まとめ欄１３にまとめる例が記載され、迷わないようになっている。
【００２７】
日付は正確でなくてもよく、各項目７〜１２うち書くことがない場合すべては書く必要はなく空欄でもよいことなども記載されている。時期項目６については、おおよそでもいいから記載することが求められる。各項目６〜１２は、これら７個に限定されず、これより多くても少なくてもよく、上記７項目以外の項目が追加、差し替えされてもよいし、７項目の一部が削除されてもよい。まとめ欄１３は、無くてもよい。
【００２８】
図３は、回想カード１（第一の記載手段）の綴りの表紙１６を示す。この表紙１６には、「自分史」「助詞連想バーチャルインタビュー式」「回想カード」の表題が記載され、注意事項欄１７、氏名欄１８が形成されている。
【００２９】
注意事項欄１７には、「（１）１０種類の出来事から一つ選び○で囲って下さい。
（２）思い出したことを７つの項目「いつ」〜「なぜ」欄にそれぞれ書き込んでください。(空欄があってもＯＫ)(「いつ」欄の日付はあいまいな日付でＯＫです。)
（３）７つの内容を元に短い文章を作成し「まとめ文」欄に書き込みます。
【００３０】
（４）カードは時系列に揃えてから、できるだけ重要な内容からノートに転記しましょう。長い文章はできるだけ短くしてからノートに転記しましょう。」といった回想カード１（第一の記載手段）への記載にあたっての注意事項が記載されている。なお、図３では丸文字を使っているが、ここでは便宜上括弧文字にしてある。
【００３１】
氏名欄１８には、本回想カード１の記載者の氏名が記載される。このような逸話は、回想カード１ごとに１つずつ異なる内容が複数記載され、各逸話にはそれぞれ異なるまたは同じ分類コード４が割り振られ、分類コード４ごとに異なる逸話が複数記載されるように促される。
【００３２】
「記載されるように促される」というのは、上記回想カード１が入手されてまだ何も記載されていない状態／段階であって、これから入手者／回想者／記載者によって逸話が記載されるにおける状態／段階をさし、このような記載が勧められる／促される／そうするようにさそわれる／勧誘される／奨励される／せき立てられる／催促される／早められる／促進されることを指す。
【００３３】
（２）回想ノート２１
図４〜図９は、回想ノート２１（第二の記載手段）の各枚（自分史思い出年表）を示す。この回想ノート２１の上縁、横軸には、記載者の自分の年齢、西暦、時代区分の時期項目２２が記載されている。
【００３４】
この時期項目２２は、例えば０才から、１才、２才、３才、………、９０才、…、１００才、…、幼児〜小学生（義務教育）、小学生〜中学生（義務教育）、高校、大学・専門学校・就職、２０代〜、３０代〜、４０代〜、５０代〜、６０代〜、７０代〜、８０代〜、………というように、図４〜図９に示すように分かれている。図８と図９と間にも、実際には３１才〜８０才の分の回想ノート２１（第二の記載手段）が複数あるが省略されている。
【００３５】
この回想ノート２１の左縁、縦軸には、上記○印が振られる１０個の分類コード４に対応した１０個の分類項目２３が記載されている。１０個の分類コード４と同様に、１０個の分類項目２３として、「Ａ社会の動き（私から見た）」「Ｂ学校・仕事・アルバイト  学校生活  努力・失敗    職場生活  努力・失敗」「Ｃ初めての大きな出来事・体験  人物・災害・免許」「Ｄ友人・交友  影響を受けた人  出会い・別れ」「Ｅ家族・家庭の出来事  病気・食事・ペット」「Ｆ日常生活  生活環境  地域の思い出  印象のある場所」「Ｇ趣味・遊び  マンガ・音楽・テレビ・映画・車・旅」「Ｈ人生の分岐点  人生が変わった  エピソード」「Ｉ一番嬉しかった・悲しかった  夢・目標  エピソード」「Ｊその他」と、それぞれ記載されている。
【００３６】
これにより、上記回想カード１…それぞれに記載され上記分類コード４が割り振られ、分類された複数の逸話が、この分類／分類項目２３に対応させて整理して転記されるように促される。つまり、分類コード４それぞれごとに上記逸話が転記され、しかもこの分類ごとに異なる逸話が転記されるように促される。
【００３７】
以上の整理及び転記は、上記時期項目２２ごと、つまり上記回想カード１ごと、すなわち複数の時期それぞれにつき、上記回想カード１でそれぞれ分類された異なる複数の逸話が、時期項目２２に該当する／対応する時期ごとに回想ノート２１に転記されるように促される。
【００３８】
この時期は、上記回想カード１の上記記載された時期項目２２に基づく。回想カード１の時期項目６については、おおよそでもいいから記載することが求められているので、整理して回想ノート２１の転記できないことはない。
【００３９】
上記時期項目２２での時期の分け方は、図４〜図９のものに限られず、少年時代、青年時代、…、といいように、もっとおおまかでもよいし、１年ごとでもよいし、１年を、春夏秋冬、各月、…、というように分けて、もっと細かくてもよい。
【００４０】
このような整理及び回想ノート２１への転記は、回想カード１のまとめ欄１３の記載内容がそのまま、または整理、校正されて回想ノート２１へ転記される。しかし、回想カード１のまとめ欄１３は省略されて、各項目６〜１２の記載内容に基づいて整理、転記されてもよい。
【００４１】
図１０は回想ノート２１（第二の記載手段）の「心に残る出来事エピソード３１」の一枚を示す。図１０の「心に残る出来事エピソード３１」は、上記図４〜図９の回想ノート２１（第二の記載手段）の次に複数枚綴じられている。
【００４２】
この「心に残る出来事エピソード３１」には、上記回想カード１（第一の記載手段）のまとめ欄１３の重要度ランクが「上」のまとめ文が選ばれて参照されて整理、転記される。この場合、「出来事の内容３２」「当時の思い３３」「学び・気づき・行動３４」に分けて整理される。
【００４３】
したがって、上記複数の逸話から選ばれた逸話には、「出来事の内容３２」「当時の思い３３」「学び・気づき・行動３４」がそれぞれ付加されて、回想ノート２１（第二の記載手段）に記載されるように促される。よって、上記回想ノート２１に記載された逸話のうち、「当時の思い３３」「学び・気づき・行動３４」があるものがさらに選択・整理されて、この「当時の思い３３」「学び・気づき・行動３４」が付加されて「出来事の内容３２」として上記逸話が選択、整理、転記される。
【００４４】
この回想ノート２１には、さらに、図１１の「７  終末期での病気の告知、延命治療について」「８  自己判断が出来なくなった時、判断を託したい家族または人」、図１２の「９  私が、看護または介護される時」「１０  私の相続に関しての基本方針と伝えたい言葉」、図１３の「１１  介護遺言」、図１４の「１２  もしもの時、連絡してほしい人」、図１５及び図１６の「１３  家系図」、図１７の「１４  思い出デジタル動画・写真アルバム」「１５  自分史回想式思い出ノート活用法」、図１８の「２  私の基本情報」が示され、記載者の希望、その他の記載者の終活について書くように促される。
【００４５】
この回想ノート２１には、さらに、図１９〜図２２の「自分史作成用歴史上の私年表」が付加され、自分の逸話を正確に思い出すのに各時期に印象的な出来事が参照される。図２３の回想ノート２１の裏表紙には、「自分史回想式思い出ノート」と「助詞連想バーチャルインタビュー式回想カード」の使い方が示され、図２４の回想ノート２１の表表紙には、表題、目次、記載者の氏名、生年月日、記入日などが記載される。
【００４６】
「記載されるように促される」というのは、上記回想ノート２１が入手されて記載・転記される前の状態／段階であって、これから入手者／回想者／記載者によって逸話が記載・転記されるにおける状態／段階をさし、このような記載・転記が勧められる／促される／そうするようにさそわれる／勧誘される／奨励される／せき立てられる／催促される／早められる／促進されることを指す。
【００４７】
上記図４と図５、図６と図７とは回想ノート２１の左の頁と右の頁とを示し、図５及び図７の右の頁では、図４及び図６の左の分類項目２３を参照できるので、図５及び図７の右の頁では分類項目２３は省略されている。図１５及び図１６の家系図は、回想ノート２１の左の頁と右の頁に相当し、１つに繋がっている。図１９と図２０の自分史作成用歴史上の私年表は、回想ノート２１の左の頁と右の頁とを示し、１つに繋がっている。図２１と図２２の自分史作成用歴史上の私年表は、回想ノート２１の左の頁と右の頁とを示し、１つに繋がっている。
【００４８】
（３）他の実施の形態
本考案は、上記実施例に限定されず、種々変更可能である。例えば、上記回想ノート２１・回想カード１は、紙ではなく、その一部または全部が、樹脂、金属、木材、布等の材質でもよいし、その一部または全部が、金庫、パソコン、ハードディスク、小型のメモリ、ホログラム、上記情報を記載、記録または収納できれば、どのような材質・形態でもよい。
【００４９】
上記回想ノート２１・回想カード１の全てまたは一部が電子化されて記憶媒体に記憶され、この記憶媒体はコンピュータによって読み取り可能であり、コンピュータに接続された表示装置に表示されたり、コンピュータに接続されたプリンタで印刷されてもよい。
【００５０】
また、このような電子化されたデータは、クラウドシステムなどによって、１つまたは複数のサーバー、その他のインターネット可能または通信可能な電子機器に集中または分散されて記憶されてもよい。このような電子データのパスワード、その他の開錠情報も当該回想ノート２１・回想カード１に収納または記録される。
【００５１】
上記逸話は、小話、エピソード、思い出、寓話、記録、小咄、挿話など、なんでもよい。上記逸話の記載形式は、上記の回想カード１・回想ノート２１の形式に限られず、上記形式以外でもよい。回想ノート２１と回想カード１とは、別冊ではなく、一冊にまとめられてもよい。最初から逸話が回想ノート２１に記載され、整理するときに、整理された逸話が回想ノート２１に上書きされ、古い整理前の逸話が別メモリ／回想カード１に転送されてもよい。
【００５２】
上記「Ａ社会の動き・Ｂ学校仕事・Ｃ初めての出来事・Ｄ友人交友・Ｅ家族家庭・Ｆ日常生活環境・Ｇ趣味遊び・Ｈ人生分岐点・Ｉ嬉し悲しかった・Ｊその他」の分類コード４は、これらＡ〜Ｊの１０個に限定されず、これより多くても少なくてもよく、上記１０個以外の項目が追加、差し替えされてもよいし、１０個の分類コード４の一部が削除されて減ってもよい。
【００５３】
上記「当時の思い３３」「学び・気づき・行動３４」は、これに限られることはなく、これに類似した事項や、これと異なる事項であってもよいし、この２項目の項目に変更したり、これより多くても少なくてもよく、上記２個以外の項目が追加、差し替えされてもよいし、２個の項目の一部が削除されて減ったりしてもよい。上記「出来事の内容３２」は省略され、「当時の思い３３」「学び・気づき・行動３４」のみ記載され、対応する逸話とのリンクが張られてもよい。
【００５４】
図１〜図２４の私の事（自分史）には、自分の年表や、自分の日記の保管場所の情報が記載されたり、自分の日記の電子データを記憶した記憶媒体が収納されて、私の事（自分史）の情報そのものではなく、この情報の存在関係の情報で代用されてもよい。
【００５５】
上記画像には、写真のような静止画像のほか、ビデオのような動画像も含めてもよいし、アルバムのような多数の写真、またはアルバムの保管場所とその説明などを含めてもよい。上記「もしもの時、連絡してほしい人」には、家族、親戚、自分と交友のあった友人、国内外を問わない。上記家族は、数親等以内の親族または姻族、養子などが含まれる。
【００５６】
上記回想ノート２１、回想カード１は、ノート形式、カード形式に限られず、回想ノート２１がカード形式、回想カード１はノート形式でもよく、色紙、冊子、折り畳みできる大きな用紙、上述の電子形式など種々の形式が考えられる。
【００５７】
上記回想カード１、表題２、日付３、分類コード４、時期項目６、場所項目７、誰項目８、目的項目９、方法・手段項目１０、結果項目１１、理由項目１２、まとめ欄１３、記入見本１５、表紙１６、注意事項欄１７、氏名欄１８、回想ノート２１、時期項目２２、分類項目２３、心に残る出来事エピソード３１、出来事の内容３２、当時の思い３３、学び・気づき・行動３４の一部または全体は省略されてもよいし、その数が増えても減ってもよいし、一つ、単体でも複数でもよく、その形状は任意に変更可能であり、均等の他の物に置き換えられてもよいし、これらの２つまたは３つ以上が合体または一体化されて兼用されてもよいし、他のものがさらに付加・積層・混合されてもよいし、それぞれの寸法は上記以外でもよいし、それぞれの寸法の相対的大小は切り換えられてもよいし同じでもよいし、その材質は紙のほか、樹脂製、金属製、木製、集成材製、合成材製、合板製、表面に化粧紙が接着されたもの、竹製、樹脂製、ガラス製、綿製、布製、糸製、繊維製、ゴム製、紙製、セラミック製、カーボン製、硬質ウレタン製、これらの合成物製／混合物製／多層積層物製でもよい。
【００５８】
（４）他の考案の効果
［１］思いだされた自分の人生における過去の逸話が分類して記載されるように促される第一の記載手段と、  この第一の記載手段に記載された逸話を上記分類に対応させて整理して転記されるように促される第二の記載手段とを備えたことを特徴とする回想ノート。これにより、過去の逸話がきちんと整理されて記載、転記される。
【００５９】
［２］上記第一の記載手段には、社会の動き、学校仕事、初めての出来事、友人交友、家族家庭、日常生活環境、趣味遊び、人生分岐点、嬉しかったこと・悲しかったこと、その他のいずれに該当するかに分類されて上記逸話が記載され、この分類ごとに異なる逸話が記載されるように促され、  上記第二の記載手段には、同じ社会の動き、学校仕事、初めての出来事、友人交友、家族家庭、日常生活環境、趣味遊び、人生分岐点、嬉しかったこと・悲しかったこと、その他のそれぞれごとに上記逸話が転記され、しかもこの分類ごとに異なる逸話が転記されるように促すことを特徴とする請求項１記載の回想ノート。
【００６０】
これにより、具体的な分類ごとに、逸話が漏れなく細かく正確に整理されて記載され、抜けの無い回想ノート・回想カードを作成することができる。
【００６１】
［３−１］上記第二の記載手段には、上記分類ごとに異なる複数の逸話が、異なる複数の時期ごとに同逸話が転記されるように促すことを特徴とする請求項２記載の回想ノート。これにより、記載者の人生の時期ごとに異なる逸話を記載、転記していくことができ、記載者の人生の歴史を描くことができる。
【００６２】
［３−２］上記第二の記載手段には、複数の時期それぞれにつき、上記請求項２で分類された異なる複数の逸話が転記されるように促すことを特徴とする請求項４記載の回想ノート。これにより、記載者の人生の時期ごとに異なる逸話を記載、転記していくことができ、記載者の人生の歴史を描くことができる。
【００６３】
［４］上記第一の記載手段には、上記１つの逸話が、時期、場所、誰、目的、方法・手段、結果、理由の各項目についてそれぞれ記載されるように促すことを特徴とする請求項３記載の回想ノート。これにより、１つの逸話自体に抜けが無くなり、回想ノート２１・回想カード１に記載する逸話に抜けが無くなり、逸話として理路整然とすることができ、正確な逸話を記載、転記できる。
【００６４】
［５］上記複数の逸話から選ばれた逸話には、当時の思い、または学び・気づき・行動がそれぞれ付加されて、上記第二の記載手段に記載されるように促すことを特徴とする請求項４記載の回想ノート。これにより、特に重要な逸話に付き、当時の思い、または学び・気づき・行動を書き留めておくことができる。
【産業上の利用可能性】
【００６５】
過去の逸話が整理されて記載、転記される。思いだされた自分の人生における過去の逸話が回想カード１に記載され、この逸話が「Ａ社会の動き・Ｂ学校仕事・Ｃ初めての出来事・Ｄ友人交友・Ｅ家族家庭・Ｆ日常生活環境・Ｇ趣味遊び・Ｈ人生分岐点・Ｉ嬉し悲しかった・Ｊその他」の分類コード４のどれに該当するかに○印が付けられ分類される。
【００６６】
この記載された逸話は、分類コード４に対応した回想ノート２１の欄に整理して転記される。これが、他の分類コード４につき異なる逸話が記載、整理、転記され、さらに異なる時期ごとに異なる逸話が記載、整理、転記される。この逸話が「時期、場所、誰、目的、方法・手段、結果、理由」（図１）の各項目についてそれぞれ抜けがないように記載される。
【図１】
0003215186.tif 000003
【図２】
0003215186.tif 000004
【図３】
0003215186.tif 000005
【図４】
0003215186.tif 000006
【図５】
0003215186.tif 000007
【図６】
0003215186.tif 000008
【図７】
0003215186.tif 000009
【図８】
0003215186.tif 000010
【図９】
0003215186.tif 000011
【図１０】
0003215186.tif 000012
【図１１】
0003215186.tif 000013
【図１２】
0003215186.tif 000014
【図１３】
0003215186.tif 000015
【図１４】
0003215186.tif 000016
【図１５】
0003215186.tif 000017
【図１６】
0003215186.tif 000018
【図１７】
0003215186.tif 000019
【図１８】
0003215186.tif 000020
【図１９】
0003215186.tif 000021
【図２０】
0003215186.tif 000022
【図２１】
0003215186.tif 000023
【図２２】
0003215186.tif 000024
【図２３】
0003215186.tif 000025
【図２４】
0003215186.tif 000026
【手続補正書】
【提出日】平成29年7月19日(2017.7.19)
【手続補正１】
【補正対象書類名】実用新案登録請求の範囲
【補正対象項目名】全文
【補正方法】変更
【補正の内容】
【実用新案登録請求の範囲】
【請求項１】
思いだされた自分の人生における過去の逸話につき、社会の動き、学校仕事、初めての出来事、友人交友、家族家庭、日常生活環境、趣味遊び、人生分岐点、嬉しかったこと・悲しかったことのいずれに該当するかを分類して、当該分類とともに当該逸話が記載される第一の記載手段と、
この第一の記載手段に記載された逸話を上記記載された分類ごとに対応させて欄ごとに分けて整理して転記される欄を有する第二の記載手段とを備えたことを特徴とする回想ノート。
【請求項２】
上記第一の記載手段には、社会の動き、学校仕事、初めての出来事、友人交友、家族家庭、日常生活環境、趣味遊び、人生分岐点、嬉しかったこと・悲しかったことのいずれに該当するかに分類して、当該分類とともに上記逸話が記載され、さらにこの分類ごとに異なる逸話が欄に分けて記載され、
上記第二の記載手段には、同じ社会の動き、学校仕事、初めての出来事、友人交友、家族家庭、日常生活環境、趣味遊び、人生分岐点、嬉しかったこと・悲しかったことごとに上記逸話が各分類ごとに対応させた各欄に分けて転記される複数の欄を有し、しかもこの各欄ごとの各分類ごとに異なる逸話が転記されることを特徴とする請求項１記載の回想ノート。
【請求項３】
上記第二の記載手段には、上記分類ごとに異なる複数の逸話が、異なる複数の時期ごとにさらに複数の欄に分けて同逸話が転記されることを特徴とする請求項２記載の回想ノート。
【請求項４】
上記第一の記載手段には、上記１つの逸話が、時期、場所、誰、目的、方法・手段、結果、理由の各項目について各欄に分けてそれぞれ記載されることを特徴とする請求項３記載の回想ノート。
【請求項５】
上記複数の逸話から選ばれた逸話には、当時の思い、または学び・気づき・行動がそれぞれ付加されて、上記第二の記載手段の欄に記載されることを特徴とする請求項４記載の回想ノート。
【手続補正書】
【提出日】平成29年10月8日(2017.10.8)
【手続補正１】
【補正対象書類名】実用新案登録請求の範囲
【補正対象項目名】全文
【補正方法】変更
【補正の内容】
【実用新案登録請求の範囲】
【請求項１】
思いだされた自分の人生における過去の逸話につき、社会の動き、学校仕事、初めての出来事、友人交友、家族家庭、日常生活環境、趣味遊び、人生分岐点、嬉しかったこと・悲しかったことのいずれに該当するかを分類して、当該分類とともに当該逸話が記載される第一の記載手段であって、    この第一の記載手段には、社会の動き、学校仕事、初めての出来事、友人交友、家族家庭、日常生活環境、趣味遊び、人生分岐点、嬉しかったこと・悲しかったことのいずれに該当するかに分類して、当該分類とともに上記逸話が記載され、さらにこの分類ごとに異なる逸話が欄に分けて記載され、
この第一の記載手段に記載された逸話を上記記載された分類ごとに対応させて欄ごとに分けて整理して転記される欄を有する第二の記載手段であって、    この第二の記載手段には、同じ社会の動き、学校仕事、初めての出来事、友人交友、家族家庭、日常生活環境、趣味遊び、人生分岐点、嬉しかったこと・悲しかったことごとに上記逸話が各分類ごとに対応させた各欄に分けて転記される複数の欄を有し、しかもこの各欄ごとの各分類ごとに異なる逸話が転記されることを特徴とする回想ノート。
【請求項２】
上記第二の記載手段には、上記分類ごとに異なる複数の逸話が、異なる複数の時期ごとにさらに複数の欄に分けて同逸話が転記されることを特徴とする請求項１記載の回想ノート。
【請求項３】
上記第一の記載手段には、上記１つの逸話が、時期、場所、誰、目的、方法・手段、結果、理由の各項目について各欄に分けてそれぞれ記載されることを特徴とする請求項２記載の回想ノート。
【請求項４】
上記複数の逸話から選ばれた逸話には、当時の思い、または学び・気づき・行動がそれぞれ付加されて、上記第二の記載手段の欄に記載されることを特徴とする請求項３記載の回想ノート。
【手続補正書】
【提出日】平成29年12月26日(2017.12.26)
【手続補正１】
【補正対象書類名】実用新案登録請求の範囲
【補正対象項目名】全文
【補正方法】変更
【補正の内容】
【実用新案登録請求の範囲】
【請求項１】
思いだされた自分の人生における過去の逸話につき、社会の動き、学校仕事、初めての出来事、友人交友、家族家庭、日常生活環境、趣味遊び、人生分岐点、嬉しかったこと・悲しかったことのいずれに該当するかを分類して、当該分類を記載する欄と、前記分類を記載する欄に対応して、当該逸話が記載される欄を有する第一の記載手段と、
前記分類を複数の欄に分けて記載した欄に対応して、前記第一の記載手段に記載された逸話を前記分類ごとにそれぞれ対応させて転記される複数の欄を有する第二の記載手段とを備えたことを特徴とする回想ノート。
【請求項２】
上記第二の記載手段には、上記分類ごとに異なる複数の逸話が、異なる複数の時期ごとにさらに複数の欄に分けて同逸話が転記されることを特徴とする請求項１記載の回想ノート。
【請求項３】
上記第一の記載手段には、上記１つの逸話が、時期、場所、誰、目的、方法・手段、結果、理由の各項目について各欄に分けてそれぞれ記載されることを特徴とする請求項２記載の回想ノート。
【請求項４】
上記複数の逸話から選ばれた逸話には、当時の思い、または学び・気づき・行動がそれぞれ付加されて、上記第二の記載手段の欄に記載されることを特徴とする請求項３記載の回想ノート。